(57)【要約】喫煙品と一体に形成されたライターであり、ガスバーナー（１１）とシガレットなどの喫煙材を受ける管（２０）とを含む。ガスバーナー（１１）は、喫煙される材料（１１９）を間接的に加熱するためにしようされる安定した予め混合された空気と気体燃料による炎を発生させる。喫煙材（１１９）は、炎又は触媒床（７３７）などの熱源から、熱源と管（２０）の内部間で熱が流れるようにするバリヤー（３０）によって離隔される。このバリヤーは、種々の形状のものが用いられる。さらに従来のライター（２００）を喫煙品（１１９）と一体化されるライターに変換するアタッチメント（１９９）が設けられる。
2004529306.tif 000002
【特許請求の範囲】
【請求項１】
周囲に開口した少なくとも１つの第１空気流入口と流動連通した混合チャンバーを有する胴体部と、第１開口部とこれに対向し且つ前記ガスバーナーと流動連通した第２開口部を有する管と、前記ガスバーナーと前記管の内部と流動連通した第２空気流入口と、前記ガスバーナーと前記管の内部との間に配されたバリヤーとからなり、前記空気流入口はこの胴体部に配されている喫煙品と一体に組み合わせられるライター。
【請求項２】
ガスバーナーを含む胴体部と、開口した端部と少なくとも１つの第２開口部を有する管とからなり、前記ガスバーナーの一部は前記胴体の周囲に開口した少なくとも１つの第１開口部と流動連通し、前記第２開口部は前記管の側壁の周囲に開口し、前記管は前記ガスバーナーと流動連通している喫煙品と一体に組み合わせられるライター。
【請求項３】
喫煙材用ライターであって、少なくとも１つの空気流入口と流動連通したガスバーナーを含む胴体部と、少なくとも１つの第２空気流入口と流動連通した内部を有する管と、前記ガスバーナーと前記管の内部との間に配されたバリヤーと、前記ライターからの熱を受けるように配された喫煙材とからなるライター。
【請求項４】
前記管を前記胴体に接続するヒンジを含むことを特徴とする請求項１又は３記載のライター。
【請求項５】
前記ガスバーナーが前記混合チャンバーと前記少なくとも１つの第１空気流入口と流動連通したノズルを含むことを特徴とする請求項１又は３記載のライター。
【請求項６】
前記バリヤーが円錐台状部分を有することを特徴とする請求項１、２又は３記載のライター。
【請求項７】
前記バリヤーが環状の開口部を含むことを特徴とする請求項１、２又は３記載のライター。
【請求項８】
前記バリヤーが柔軟性を有するバンドを少なくとも１つ含むことを特徴とする請求項１、２又は３記載のライター。
【請求項９】
前記バリヤーがスロート部を含むことを特徴とする請求項１、２又は３記載のライター。
【請求項１０】
前記管がその第２端部に接続される肩部とこの肩部と一連に形成されたスカート部を含むことを特徴とする請求項１又は３記載のライター。
【請求項１１】
前記第２空気流入口が前記スカート部の側壁内に配されていることを特徴とする請求項１０記載のライター。
【請求項１２】
前記管の第１部分が前記肩部と前記スカート部を含む前記管の第２部分に着脱自在に取り付けられることを特徴とする請求項１０記載のライター。
【請求項１３】
前記ガスバーナーがその中に触媒床を含むことを特徴とする請求項１、２又は３記載のライター。
【請求項１４】
前記バリアーが前記管の前記内部と前記触媒床との間に配されていることを特徴とする請求項１３記載のライター。
【請求項１５】
前記触媒床が白金を含むことを特徴とする請求項１３記載のライター。
【請求項１６】
前記触媒床がパラジウムを含むことを特徴とする請求項１３記載のライター。
【請求項１７】
さらに点火器を含むことを特徴とする請求項１、２又は３記載のライター。
【請求項１８】
前記点火器がバッテリー式発火装置を含むことを特徴とする請求項１７記載のライター。
【請求項１９】
前記点火器が前記混合チャンバーと流動連通していることを特徴とする請求項１７記載のライター。
【請求項２０】
前記点火器が圧電素子を含むことを特徴とする請求項１９記載のライター。
【請求項２１】
前記点火器がバッテリー式抵抗ヒーターを含むことを特徴とする請求項１７記載のライター。
【請求項２２】
前記バッテリー式抵抗ヒーターが白金を含むことを特徴とする請求項２１記載のライター。
【請求項２３】
前記バッテリー式抵抗ヒーターがパラジウムを含むことを特徴とする請求項２１記載のライター。
【請求項２４】
前記バッテリー式抵抗ヒーターがニクロムを含むことを特徴とする請求項２１記載のライター。
【請求項２５】
前記バッテリー式抵抗ヒーターがコンデンサーと抵抗器を含むことを特徴とする請求項２１記載のライター。
【請求項２６】
前記点火器がバッテリー式発火装置を含むことを特徴とする請求項１７記載のライター。
【請求項２７】
前記バッテリー式発火装置がコンデンサーと、セットアップ変換器と、マイクロスイッチとを含むことを特徴とする請求項２６記載のライター。
【請求項２８】
前記ガスバーナーが気体燃料を含む燃料貯蔵容器を含むことを特徴とする請求項１、２又は３記載のライター。
【請求項２９】
前記気体燃料が低分子量炭化水素を含むことを特徴とする請求項２８記載のライター。
【請求項３０】
前記低分量炭化水素がメタン、エタン、プロパン、ブタン及びアセチレンからなる群から選択されることを特徴とする請求項２９記載のライター。
【請求項３１】
前記気体燃料が水素を含むことを特徴とする請求項２９記載のライター。
【請求項３２】
前記気体燃料が一酸化炭素を含むことを特徴とする請求項２９記載のライター。
【請求項３３】
前記喫煙材がタバコを含むことを特徴とする請求項３記載のライター。
【請求項３４】
前記タバコがシガレット内に配されていることを特徴とする請求項３記載のライター。
【発明の詳細な説明】
【０００１】
本発明は、喫煙品及びそのための燃焼手段に関する。さらに詳述すると本発明は、喫煙品と一体に組み込まれ、予め混合された気体状燃料の燃焼を利用したライターに関する。
【０００２】
予め空気と混合されたガスの炎を供するシガレットライターは、よく知られている。例えば、米国特許第３，９１５，６２３号には、安定した炎を発生させるために点火の前に気体燃料と空気を混合するシガレットライターのバーナーが教示されている。また米国特許第４，９２９，１７４号には気体燃料が空気孔を介してライター内に吸引される空気と混合され、その後燃料／空気混合物が燃焼チャンバーで燃焼されるライターが教示されている。予め混合された炎は、燃料が点火器の上流の近量論比（ｎｅａｒ ｓｔｏｉｃｈｉｏｍｅｔｒｉｃ ｐｒｏｐｏｒｔｉｏｎｓ）にある空気と混合され、点火の際にほとんど反応が完了する燃焼工程の産物である。このほぼ完全な燃焼反応によりこの燃焼工程では、すす、未燃焼の燃料又は未燃焼生成物はほとんど発生しない。また燃料が予め空気と混合されるので、炎はライターの配向に影響されず、封鎖された空間内で燃えることができる。予備混合された炎を発生させるシガレットライターは、通常、空気を同伴するベンチュリ管を使用し、空気はほとんど量論比で気体燃料と混合され、この混合物が燃焼すると予備混合された炎は発生させる。
【０００３】
しかしながら、シガレットライターは、通常、喫煙品とは別個に提供される。そのため、喫煙品を喫煙者によって吸入される吸煙可能なエアゾールを発生させる喫煙品を有する材料に充分な熱を供するために着火しなければならない。喫煙される材料を着火せずに喫煙品を喫煙できるということは、従来の公知の喫煙品に対して特定の利点を供する。より具体的に言えば、着火されるタバコ又は他の喫煙可能な材料を含まない喫煙品は、不注意による炎の発生を減少することができる。
【０００４】
エアゾールを発生させる材料を加熱する吸引可能なエアゾール発生装置も当業界で知られている。ＷＯ９７／４８２２９４号には、燃焼性燃料を利用した香味発生材料を加熱する装置が開示されている。この加熱装置は、非混合拡散炎を発生させ、香味発生材料と接触する空気を間接的に加熱する熱交体を発生させる。この加熱装置は、燃焼行程からの発生気体を排出するためのダクトを必要とする。このような発生気体は、未反応の燃料及び不完全燃焼による生成物を含む。このような間接加熱装置はより多くの燃料を消費し、香味発生材料が直接加熱される装置より、大きな燃料貯蔵容量を必要とする。
【０００５】
従って、喫煙品内に含まれる喫煙可能な材料を着火せずに直接加熱するライターと一体となった喫煙品が望まれている。
【０００６】
本発明の目的は、喫煙品と一体となったライターを提供することである。
【０００７】
本発明はさらに予備混合された炎を供する喫煙品と一体となったライターを供することも目的としている。
【０００８】
さらに本発明は従来のライターを喫煙品と一体となったライターに変えるためのライター用のアタッチメントを提供することも目的としている。
【０００９】
さらに本発明は香味発生材料が点火されずに直接加熱される喫煙品と一体化されたライターを提供することも目的としている。
【００１０】
本発明は喫煙品と一体化されたライターの内、特にそれを構成するライターに関する。このライターは管と管又は火炎チャンバーなどの密閉された空間内に含まれる安定した予備混合された炎を製するガスバーナーとを含む。管はタバコなどの喫煙可能な材料を含むロッドを受ける大きさに設計されている。管はロッドが挿入される開放された末端部を有する。また熱伝導バリヤーを上記ライターは含み、これによりロッドの端部が火炎チャンバーに入り込むのを防ぐことができる。この管はガスチャンバーと流動連通（ｆｌｏｗ ｃｏｍｍｕｎｉｃａｔｉｏｎ）している。ガスバーナーは火炎チャンバーと、火炎ホルダーと、混合チャンバーと、少なくとも１つの空気流入口と、ノズルとを含む。このノズルは気体燃料が蓄えられる燃料貯蔵容器と流動連通している。またガスバーナーは、バーナー内の燃料の点火によって活性化する触媒床を含んでもよい。
【００１１】
使用時には、燃料は燃料貯蔵容器からノズルへと供給される。このノズルは燃料の流路を収縮させて流速を増加させる。気体燃料がノズルを出ると流れの静圧が降下し、空気が空気流入口からバーナー内へと吸引される。燃料と空気は混合チャンバーへと移動し、そこで完全に混合される。混合チャンバーは火炎ホルダーと流動連通している。燃料／空気混合物は、混合チャンバーから流れ出し、火炎ホルダーを通過し、点火器へと流れ、この点火器の作動によって燃料／空気混合物は着火される。燃料／空気混合物の燃焼によって火炎チャンバー内に安定した予め混合された炎が製せられ、火炎ホルダーによってこの炎がバーナーを介して逆火するのを防ぐことができる。適切な燃料と空気との比によって燃焼工程は、実質的にすす、未燃焼の燃料、不完全燃焼による生成物は形成されない。タバコなどの喫煙可能な材料を含むロッドは、上述のライターの管に挿入される。ガスバーナーからの熱が管の内部へと移行するが、熱伝導バリヤーにより喫煙可能なロッドが火炎チャンバーに入るのを防ぐ。火炎チャンバー内で発生しそこに含まれる炎が喫煙ロッドを加熱する。これとは別にライターが触媒床を含む場合、この触媒床はロッドが喫煙できるように充分な温度にロッドを加熱するために活性化される。この場合、熱伝導バリヤーが喫煙ロッドを触媒床から離隔するが、熱はその間を移動する。吸い込み動作によって管の側壁に含まれる少なくとも１つの開口部から空気が管内へ、そして喫煙可能なロッドへと吸引される。これとは別に管とバーナーの間に間隙を設け、これを介して空気が管内へと吸引されるようにしてもよい。このようにして喫煙材はライターを有する喫煙品内で吸煙される。
【００１２】
本発明のライターは、種々の形状を有する喫煙品に組み込むことができる。喫煙品はシガレット又は葉巻形状であってもよく、あるいはパイプのような形状であってもよい。喫煙品の別の態様としては従来のライターの形状であって、そこから管が延びるように構成してもよい。喫煙材料は、タバコなどの当業界で知られているエアゾール発生材料であってもよい。喫煙材料は、シガレットのようにロッド内に梱包されていてもよく、あるいは包装されていないばらばらの状態であってもよい。
【００１３】
本発明の他の目的又は利点は、以下に詳述する好ましい態様からより明らかになる。
【００１４】
いくつかの図面に喫煙品用ライター１０を示す。このライター１０は、ガスバーナー１１を含み、このバーナーは気体燃料と、ライター１０の胴体部に設けられた少なくとも１つの第１空気流入口又は開口部６０を介して導入される空気とを予め混合したものから得られる炎を製する。ガスバーナー１１は、管２０と流動連通しており、この管に喫煙材料を含むロッド１１９が挿入される。管２０は、その周囲に開口した末端部又は第１開口端部２２と、側部壁に設けられた開口部３５と、ガスバーナー１１と流動連通する第１端部に対向した第２端部１２とを有し、開口部３５を介して空気が喫煙品の使用時に吸引される。
【００１５】
図３に示すように喫煙品１１０は、シガレット１１９又はロッド内に配されたタバコ又は他のエアゾール発生材料などの喫煙材とこれに装着されるライター１０を含む。
【００１６】
図１及び１ａに示すようにライター１０は、その胴体部４５から延びた管２０を有する。管２０は中空で、末端部２２で開口しており、喫煙材を含むロッドを収容する大きさに設計されている。例えば、管２０は従来のシガレットの末端部を収容する大きさに設計される。これとは別にライター１０をこのライターに使用するために特別に設計されたロッドを受けるような大きさに設計してもよい。ロッドはタバコ又は他のエアゾール発生材料などの当業界で知られている喫煙材を含んでもよい。管２０は周囲に開口した少なくとも１つの第２開口部又は空気吸引口３５を含む。第２開口部３５を介して管２０内に配されたロッドを吸煙することによって空気が管内に入り込む。さらにライター１０は、作動ボタン３６を含み、これを押すとライター内に含まれるバスバーナー１１を作動させる。本発明はライターに含まれるガスバーナーを作動させる公知の他の形状の作動装置をも包含する。図１には空気流入口６０も示されている。第２開口部と同様に流入口６０も周囲に開口しており、ライター１０のガスバーナー内へと空気を引き込んでいる。
【００１７】
図２はライターのガスバーナーを示している。このガスバーナーは気体燃料を含む燃料貯蔵容器９０を含み、これに取り付けられた補充バルブ９５を有する。気体燃料は使用時の温度で一気圧以上の蒸気圧を有するものであればいかなる燃焼性材料であってもよい。気体燃料は水素及び／又は一酸化炭素及び／又はメタン、プロパン、ブタン、アセチレン又はこれらの混合物などの低分子量炭化水素を含んでもよい。燃料ライン８０が、燃料貯蔵容器９０と流動連通して設けられており、この容器から気体燃料をノズル７０へと案内する。燃料ラインバルブ８５は、燃料貯蔵容器９０と燃料ライン８０と流動連通して配されている。機械的接続手段８６が燃料ラインバルブ８５を作動ボタン３６に連通している作動スイッチ６５に接続している。作動スイッチを作動させるとそれが燃料ラインバルブ８６を開放する。これとは別に燃料ライン８０を介して燃料の流速を調整するために燃料ラインバルブを操作してもよい。さらにこれとは別に燃料貯蔵容器９０と流動連通した流速調整ピン（図示せず）を利用してもよい。
【００１８】
燃料が燃料ライン８０を流れる際、ノズル７０が流れる燃料の速度を増加させ、静圧を減少させる。混合チャンバー５０が、ノズル７０と流動連通して設けられている。燃料はノズル７０から混合チャンバー５０へと入り、そこでこのチャンバーと流動連通している少なくとも１つの空気流入口６０を介して同伴する空気と混合される。第１空気流入口又は開口部６０は、周囲に開口しており、空気を混合チャンバー５０へと搬送する。空気はノズル７０を介して混合チャンバー５０内へと移動する燃料の静圧の減少であるベンチュリ効果によって混合チャンバー５０へと吸引される。混合チャンバー５０内では、気体燃料と空気は特定の燃料の燃焼限度内にある燃料／空気流（ｓｔｒｅａｍ）を形成するために混合される。この燃料／空気流はガスバーナー１１のさらに下流で燃焼される。
【００１９】
火炎ホルダー４２が混合チャンバー５０と流動連通して設けられている。火炎ホルダー４２は多孔板又は燃料／空気混合物をこのホルダーを通過して下流へと流れるようにする当業界で知られている他の構造体であってもよい。火炎ホルダー４２は燃料／空気混合物の燃焼によって発生する炎がガスバーナーに逆火するのを防ぐ役割を果たしている。火炎ホルダー４２は火炎チャンバー４０の入り口に設けられている。点火器４７が混合チャンバー５０と火炎チャンバー４０と流動連通して設けられている。点火器４７は圧電器５５、バッテリー又はフリントなどの当業界でよく知られているいかなる点火手段であってもよい。点火器４７は、図２に示すように作動スイッチ６５と連通していてもよい。燃料は火炎ホルダー４２を通過し、火炎チャンバー４０内へと流れ、そこで点火器４７の作動によって燃焼する。この燃焼工程は空気と気体燃料との予備混合によりほぼ完全な反応へと進行する。燃焼工程で発生した炎は、ライター１０の配向によって曲がったりしない安定した予備混合炎である。この炎は火炎チャンバー４０内に含まれる。図３に示すように管１２０内に配される喫煙材を含むシガレット又はロッド１１９は、熱伝導バリヤー１３０によって火炎チャンバー内に入るのを妨げられる。しかしながら、直接的な熱の移動がガスバーナーとロッド１１９との間で可能になる。従って、火炎チャンバー１４０内で発生した炎は、喫煙者が喫煙できるようにシガレット１１９を加熱する。
【００２０】
図２に示すように熱伝導バリヤー３０が、火炎チャンバー４０の内部と管２０の内部との間に配されている。熱伝導バリヤー３０は管２０内に配されたシガレットが火炎チャンバー４０内に入るのを防ぎ、火炎チャンバー内で発生した炎と管２０の内部の熱移動させるもであればいかなる形状及び構造の材料であってもよい。例えば、熱伝導バリヤー３０は金属、セラミック又は高分子材料などで形成されたものであってもよい。好ましい熱伝導バリヤー３０は金属又はセラミック成分で形成されたものである。さらに熱伝導バリヤー３０は、管２０内又はその外側に配されるが、いずれの場合もその近傍に配される。また熱伝導バリヤー３０は管２０又は本発明のライターの他の構成部材と一体に形成されてもよく又はライターに取り外し自在に配してもよい。
【００２１】
図３は別の態様のライター１１０に配されたシガレット１１９を示し、ここではガスバーナー１１１の一部が胴体１４５から突出している。シガレット１１９は、管１２０に配され、熱伝導バリヤー１３０によって火炎チャンバー１４０から離隔されている。開口部１３５が喫煙者の吸い込み動作によって吸引された空気が管１２０内に吸引させるために設けられている。ガスバーナー１１１もまた混合チャンバー１５０と火炎チャンバー１４０との間に配された火炎ホルダー１４２を含む。混合チャンバー１５０は、空気流入口１６０とノズル１７０と流動連通して配されている。より流線型化された燃料貯蔵容器１９０が燃料ライン１８０と補充バルブ１９５に接続されている。
【００２２】
図４乃至８ａに示すように熱伝導バリヤーは種々の構成要素で構成されてもよい。例えば、図４に示す熱伝導バリヤー４３０は、管４２０の内部に喫煙品が全て入らないように隔てる環状部分４３１を含む。また図５は管２０の側壁から突出する少なくとも１つのタブを含む熱伝動バリヤー３０を示している。本発明の熱伝導バリヤーは、図６に示すように管２２０内に位置する熱伝導バリヤー２３０のような円錐台部分を含むものであってもよい。さらに熱伝導バリヤーは、図７に示すように少なくとも１つの柔軟性を有するバンド形状のものであってもよく、このバンドは管１２０の内部にシガレット又はそれに類似の喫煙可能なロッドを挿入することによって変形する。この柔軟性バンドはシガレットを所定の位置に保持し、それが火炎チャンバー４０内に入るのを防ぐ。本発明の熱伝導バリヤー７３０の図８に示すような別の態様は、管７２０の内部から火炎チャンバー４０への通路を制限するスロート部分７３３であってもよい。図８ａは別の態様である熱伝導バリヤー６３０を示し、このバリヤーは複数の開口部を有するスクリーンであり、この開口部を介して熱がバーナーから管６２０の内部へと移送される。
【００２３】
上述したように管２０は熱伝導バリヤー３０と流動連通しており、喫煙材を含むロッドを受ける大きさに形成されている。図２に示すように管２０は中空構造であり、開口した末端部２２を有する。管２０は当業界で知られている金属、セラミック、高分子又は天然の材料のいずれでもよく、喫煙品の使用時の熱に耐えられるものであればよい。例えば、管２０はセラミック、真鍮、スチール、他の金属合金又は合成材料で形成してもよい。当然のことながら、これらの材料を２つ以上使用して管２０を形成してもよい。また管２０は使用時に高温に晒されやすい部分により大きな熱抵抗を有する材料を含んでもよい。またこれとは別に管２０は、その内部にその中で発生する熱の吸収を補助する内方又は外方スリーブを有してもよい。管２０は図１乃至３に示すように装置から突出してもよく、あるいは図９、１０及び１７に示すように喫煙品の胴体部内に収容してもよい。管２０はその側壁又は管２０とガスバーナー１１との間の喫煙品の一部に少なくとも１つの開口部３５を含む。空気は吸い込み動作によってこの開口部３５を介して吸引される。
【００２４】
本発明のライター１０は、シガレット形状又はパイプ形状などの当業界で知られているいかなる形状の喫煙品に含まれてもよい。図３に示すように喫煙品１１０は、シガレット又はロッド１１９に配されたタバコ又は他のエアゾール発生材料などの喫煙材料と喫煙品に装着されたライターとを含む。またこれとは別に喫煙品は、ロッド内に梱包されていないばらの状態の葉タバコ又は他のエアゾール発生材料を含んでもよい。喫煙品の大きさ並びに形状は、従来の喫煙品に類似してもよい。例えば、ライター１０は図９、９ａ及び１０に示すようにシガレット形状の喫煙品に含まれてもよい。シガレット形状の喫煙品３００は、流線形状胴体部３４５を有し、上述の喫煙品と類似の構成部材を有する。補充バルブ３９５を有する燃料貯蔵容器３９０は、燃料ラインバルブ３８５と流動連通している。燃料ラインバルブ３８５は、燃料貯蔵容器３９０と流動連通している燃料ライン３８０と連通している。燃料ライン３８０は燃料貯蔵容器３９０をノズル３７０に接続する。ノズル３７０は混合チャンバー３５０と流動連通しており、このチャンバー内に空気流入口３６０が開口している。火炎ホルダー３４２は混合チャンバー３５０と流動連通し、火炎チャンバー３４０の入り口に配されている。熱伝導バリヤー３３０は火炎チャンバー３４０の内部と管３２０の内部の間に配されている。少なくとも１つの開口部３３５が管３２０の側壁に配されている。
【００２５】
上述したようにシガレット又はそれに類似する喫煙品が開口部３２２を介してシガレット形状の喫煙品３００の管３２０内に挿入される。シガレット又はそれに類似する喫煙品は、熱伝導バリヤー３３０によって管３２０内に保持される。作動スイッチ３５５は、それを押すことによって燃料貯蔵容器３９０から燃料を放出する。燃料はガスバーナーを介して移動し、ノズルを介した流れによって生じる静圧の降下によって混合チャンバー３５０内に吸引される空気と混合される。この燃料／空気混合物は、火炎チャンバー内で点火器によって点火され、このチャンバー内で安定した予備混合炎が発生する。その後、喫煙者の吸い込み動作によって少なくとも１つの開口部３３５を介して管３２０内に空気が吸引される。その後、熱は火炎チャンバー３４０から熱伝導バリヤー３３０を通過し、管３２０の内部、そして最終的にはシガレットへと移動する。このようにして喫煙品３００は使用される。
【００２６】
図１１及び１２に示すように本発明のライターは、管２２０に取り付けられたヒンジ２８５を有してもよい。図１１に示すように管２２０は、基部２８６によって胴体部２４５に取り付けられ、この胴体部はそこから突出する作動ボタン２３６を有する。ヒンジ２８５は管２２０を喫煙品の残りの部分に取り付け、管を収納位置へと回転させる。より具体的に説明すると、管２２０はヒンジ２８５によって可動に取り付けられ、これにより図１１に示すような管２２０がガスバーナーと流動連通する位置と図１２に示すような管がガスバーナーと流動連通しない位置との間を回転することができる。ヒンジ２８５は管の基部２８６に取り付けてもよくあるいはライター２１０の胴体部２４５に直接取り付けてもよい。さらに開口部２３５を管２２０の側壁に設けて、管２２０が図１１に示すように完全に管の基部２８６に係合した際に開口部２３５が管２２０の端部と管の基部の端部の間に位置するようにしてもよい。
【００２７】
図１３及び１４に示すように本発明のライター１０は、アタッチメント９９又は１９９を含んでもよい。図１４に示すように中空の円筒状管９２０を含み、この管は肩部９３０とこれに一連に形成されたスカート部９３２を有する。少なくとも１つの開口部９３５がスカート９３２に設けられている。アタッチメント９９は、その端部でライターに着脱自在に取り付け可能である。図１３に示すように本発明のアタッチメントの別の態様であるアタッチメント１９９は、基部８２９に着脱自在に取り付けられる管８２０を有する。この基部８２９は管８２０の中央に近い端部８２１にまで挿入される管状の挿入部８３１を有する。環状挿入部８３１は肩部８３０から突出している。少なくとも１つの開口部８３５がスカート８３２に設けられている。これらアタッチメント９９及び１９９は、両方ともスカート部８３２及び９３２でライターのバーナーに出力部に取り付けられる。図１５はアタッチメント１９９がライター２００に取り付けられた状態を示している。管８２０と基部８２９は、ライター２００の火炎チャンバー４０と流動連通している。管の基部８２９は、締結部材又は摩擦を利用したアタッチメントなどの当業界で知られている効果的な手段によってライター２００に取り付けてもよい。管８２０は管状挿入部８３１を管８２０の内部に挿入することによって管の基部８２９に摩擦によって取り付けられる。アタッチメント９９は、当業界で公知の好適な金属、セラミック、高分子又は天然材料で形成される。アタッチメント９９は、ライターに同じようように取り付けられ、従来のライターを喫煙品と一体になったライターに変換する。
【００２８】
図１６に示すように本発明のライターは、触媒床７３７を含んでもよい。触媒床７３７は、白金又はパラジウムがコートされたセラミック又はワイヤー、メッシュ又はウール状に形成された金属触媒などの公知の材料から形成してもよい。触媒床７３７は、また当業界で公知のいかなる形状に形成されてもよい。触媒床７３７は火炎チャンバー７４０の下流に配される。熱伝導バリヤー３０は触媒床７３７と管２０の内部との間に配されている。作動時には触媒床７３７は、火炎チャンバー内で発生する予備混合炎によって活性化される。その後、熱は触媒床７３７と管内に配されたシガレットとの間を移動する。このようにしてシガレットは燃焼せずに喫煙できるように充分に加熱される。
【００２９】
図１７は本発明の一体型ライターのさらに別の態様を示す。このライター５１０は管５２０を有し、この管に喫煙材を含むロッドが挿入される。熱伝導バリヤー５３０は、管５２０の端部に配され、火炎チャンバー５４０と流動連通している。空気が喫煙によって吸引される際に通過する開口部５３５は、火炎チャンバー５４０と管５２０と流動連通している。火炎ホルダー５４２は火炎チャンバー５４０と混合チャンバー５５０との間に配され、この混合チャンバーは周囲に開口した空気流入口５６０を含む。他の態様と同様にノズル５７０は燃料貯蔵容器５９０と流動連通している。燃料バルブ５８５は燃料フローレギュレーター及び充填装置５９２と流動連通しており、この装置は燃料貯蔵容器５９０からバーナーへの気体燃料の流れの制御を補助する。
【００３０】
バッテリー式発火装置（ｂａｔｔｅｒｙ−ｐｏｗｅｒｅｄ ｓｐａｒｋ ａｓｓｅｍｂｌｙ）６００が、一体型ライター５１０と共に配され、この発火装置はスライド式作動装置６１０を含み、この作動装置は発火装置のマイクロスイッチを作動させる。スライド式作動装置６１０は機械式コネクター５８６に取り付けられ、このコネクターは作動装置を燃料ラインバルブ５８５に接続する。またボタン６１５もスライド式作動装置６１０に取り付けられている。このボタンは点火器５４７を作動させ、燃料を放出するために喫煙者によってチャネル６１２内で上方に摺動させられる。
【００３１】
図１８に示すようにバッテリー式発火装置６００は、バッテリー６２５又はセットアップ変換器（ｓｅｔ ｕｐ ｔｒａｎｓｆｏｒｍｅｒ）６４０を有する電気回路を選択的に形成するコンデンサー６５０を含む。これらの回路はマイクロスイッチの作動によって選択される。マイクロスイッチ６３５は、単極双投式（ｓｉｎｇｌｅ ｐｏｌｅ ｄｏｕｂｌｅ ｔｈｒｏｗ， ｂｒｅａｋ−ｂｅｆｏｒｅ−ｍａｋｅ ｔｙｐｅ）である。図１８ａに示すようにマイクロスイッチ６３５はコンデンサ６５０に接続され、変換器６４０又はバッテリー６２５に選択的に接続される。当業者に知られているようにコンデンサ６５０はバッテリー６２５と電気的に接続している間、チャージし、セットアップ変換器６４０を有する回路にある時にはチャージしない。
【００３２】
作動時、ボタン６１５はスライド式作動装置６１０を上方に移動させ、これによりスライド式作動装置６１０によってマイクロスイッチ６３５が作動する直前に機械的コネクター５８６を介して燃料ラインバルブを開放する。マイクロスイッチが作動すると、コンデンサー６５０がセットアップ変換器６４０を介して充電を放電し、これにより点火器５４７を介して火花を発生させる。ボタン６１５を解除することによって燃料ラインバルブ５８５が閉じ、これによりスライド式作動装置６１５を非作動静止位置に戻す。スライド式作動装置６１５が非作動位置に戻るとコンデンサー６５０とバッテリー６２５との間の回線が完了する。このようにしてコンデンサー６５０は次の作動のために再充電される。
【００３３】
さらに別の態様の点火器を本発明の一体型ライターに設けてもよい。例えば、図１９は点火器が抵抗ヒーターである別の態様の回路図を示している。この態様の構造はバッテリー式発火点火器の構造と類似しているが、点火器５４７でアークを発生させるのに充分な電圧を供するセットアップ変換器の代わりに抵抗ヒーター６４７が設けられており、ここでコンデンサー６５１からの電荷が抵抗ヒーター内で熱を発生させる。バッテリー式発火点火器と同じようにコンデンサー６５１は、マイクロスイッチ６３６がコンデンサー６５１とバッテリー６２６の間で回路を形成する時、バッテリー６２６によって充電される。これにより充分な熱が発生し、燃焼性燃料の温度をその発火温度にまで上昇させて燃焼反応を開始する。抵抗ヒーター６４７は、細径の白金又はパラジウムワイヤーで形成してもよい。またニクロム線、フィルム又は白金又はパラジウムメッキを有する小球で形成してもよい。抵抗ヒーター６４７は燃焼性燃料の点火を静かに行うことができるが、発火式点火器及び圧電点火などの他の態様では電気的アーク又は圧電素子で電流を形成するのに必要な打撃力を形成する際に音が発生する。
【００３４】
本発明の好ましい態様の上記の詳しい説明は、本発明をより明確に理解できるようになされたものであり、本発明を限定するものではなく、当業者であればこの記載から本発明及び添付の特許請求の範囲を逸脱せずに様々な変形例を想起すること可能である。
【図面の簡単な説明】
【図１】
喫煙品に一体に装着された本発明のライターの側面図。
【図１ａ】
図１のライターの端面図。
【図２】
図１ａの２−２線に沿ったライターの断面図。
【図３】
本発明のライターの別の態様の断面図。
【図４】
図１ライターの管の斜視図であり、一部を切り欠きに示し、一部を仮想線で示している。
【図５】
熱伝導バリヤーの別の態様を含む図１のライターの管の斜視図であり、一部を切り欠きに示し、一部を仮想線で示している。
【図６】
熱伝導バリヤーの別の態様を含む図１のライターの管の斜視図であり、一部を切り欠きに示し、一部を仮想線で示している。
【図７】
熱伝導バリヤーの別の態様を含む図１のライターの管の斜視図であり、一部を切り欠きに示し、一部を仮想線で示している。
【図８】
熱伝導バリヤーの別の態様を含む図１のライターの管の斜視図であり、一部を切り欠きに示している。
【図８ａ】
熱伝導バリヤーの別の態様を含む図１のライターの管の斜視図であり、一部を切り欠きに示し、一部を仮想線で示している。
【図９】
本発明のライターを含む喫煙品の別の態様の側面図。
【図９ａ】
図９に示した喫煙品の端面図。
【図１０】
図９ａの１０−１０線に沿った断面図。
【図１１】
ヒンジ部を含む本発明のライターの別の態様の側面図。
【図１２】
ヒンジ部ば開放位置にある図１１のライターの側面図。
【図１３】
本発明のライターのアタッチメントの分解図。
【図１４】
本発明のライターのアタッチメントの別の態様の側面図。
【図１５】
図１３に示したアタッチメントを含む本発明のライターの断面図。
【図１６】
触媒床を含む本発明のライターの断面図。
【図１７】
バッテリー式火花点火器を含む本発明のライターの別の態様の断面図。
【図１８】
図１７に示したライターに含まれるバッテリー式火花点火装置の後断面図。
【図１８ａ】
バッテリー式火花点火装置の回路図。
【図１９】
バッテリー式抵抗加熱点火装置を含む本発明のライターの別の態様の回路図。
【国際公開パンフレット】
2004529306.tif 000003
2004529306.tif 000004
2004529306.tif 000005
2004529306.tif 000006
2004529306.tif 000007
2004529306.tif 000008
2004529306.tif 000009
2004529306.tif 000010
2004529306.tif 000011
2004529306.tif 000012
2004529306.tif 000013
2004529306.tif 000014
2004529306.tif 000015
2004529306.tif 000016
2004529306.tif 000017
2004529306.tif 000018
2004529306.tif 000019
2004529306.tif 000020
2004529306.tif 000021
2004529306.tif 000022
2004529306.tif 000023
2004529306.tif 000024
2004529306.tif 000025
2004529306.tif 000026
2004529306.tif 000027
2004529306.tif 000028
2004529306.tif 000029
2004529306.tif 000030
2004529306.tif 000031
2004529306.tif 000032
2004529306.tif 000033
2004529306.tif 000034
2004529306.tif 000035
2004529306.tif 000036
2004529306.tif 000037
2004529306.tif 000038
【国際調査報告】
2004529306.tif 000039